(57)【要約】      （修正有）【課題】着脱自在な遮光部材を形成した遮光部材付光コネクタプラグを提供する。【解決手段】遮光部材１３は、光ファイバの先端部を保護するフェルールを内包して支持する筒状のプラグフレームの外側において摺接自在にこれを囲繞するとともに光コネクタ接続時に嵌合されるレセプタクルコネクタの嵌合用開口部の内側に挿入されるシャッターハウジング１４と、シャッターハウジングの前部においてハウジングに一端部を支持されフェルールの前方位置で他端部が光ファイバを遮光するように弾性力で付勢されて閉じるシャッター１６と、シャッターハウジングの後方に配設され常にこれを前方に付勢するとともにプラグフレームの後部とこのプラグフレームの後部を囲堯する筒状のツマミとの間の間隙に配設される弾性部材１８と、から構成される遮光部材付光コネクタプラグ１とする。【選択図】図１−Ａ
2008176297.tif 000002
【特許請求の範囲】
【請求項１】
光コネクタプラグの接続側に設けられて光ファイバからの光を遮断する遮光部材が設けられた遮光部材付光コネクタプラグにおいて、
前記遮光部材は、
光ファイバの先端部を保持するフェルールを内包して支持する筒状のプラグフレームの外側において摺接自在にこれを囲繞するとともに光コネクタ接続時に嵌合されるレセプタクルコネクタの嵌合用開口部の内側に挿入されるシャッターハウジングと、
前記シャッターハウジングの前部において当該ハウジングに一端部を支持され前記フェルールの前方位置で他端部が光ファイバを遮光するように弾性力で付勢されて閉じるシャッターと、
前記シャッターハウジングの内側に配設され常にこれを前方に付勢するとともに前記プラグフレームの後部と前記シャッターハウジングとの間の間隙に配設される弾性部材と、から構成されていること、
を特徴とする遮光部材付光コネクタプラグ。
【請求項２】
シャッターハウジングがプラグフレームに対して脱着可能にして遮光部材が着脱自在になるように、前記シャッターハウジングの後部に弾性係止片が設けられ、プラグフレームの外周部に前記弾性係止片に係合する係合突起が設けられ、前記シャッターハウジングの後部を囲堯するツマミの外周部には前記弾性係止片の係止を外側から解除させるための切欠き部又は窓部が設けられていること、
を特徴とする請求項１に記載の遮光部材付光コネクタプラグ。
【請求項３】
シャッターは、支持軸を介して回動自在にして且つ常にフェルールの前方位置で閉じるように弾性材で付勢されて設けられてなる２枚のシャッター片が対抗配置で観音開きにしてシャッターハウジングに配置され、そのシャッター片の合わさった閉じ部は前記シャッターハウジングの前方開口部の開口端面から外に突出していること、
を特徴とする請求項１乃至２のいずれかに記載の遮光部材付光コネクタプラグ。
【請求項４】
プラグフレームの側壁面に、レセプタクルコネクタ側の弾性係止爪を嵌合時において拡開させるテーパ部とこのテーパ部に連なる平坦面の後端部から略垂直に落とし込む垂直部とを有する拡開用側壁が前後方向に沿って対向配置で一対設けられるとともに、
この一対の拡開用側壁間の空間内に嵌合時には前記弾性係止爪に係合せず脱着時において後方に移動され前記弾性係止爪の係合作用を解除させるテーパ状の抜け治具部を収納し、この抜け治具部から後方に連なって前記弾性係止爪が落とし込まれる凹部を形成して成る所要幅で板状のスライダーが取着されていること、
を特徴とする請求項１に記載の遮光部材付光コネクタプラグ。
【発明の詳細な説明】
【技術分野】
【０００１】
本発明は、例えば、光ケーブル用のコネクタにおける、レセプタクルコネクタ若しくはアダプタに挿脱される光コネクタプラグであって、詳しくは、光ファイバーケーブルからの光を遮蔽する手段を設けた遮光部材付光コネクタプラグに関するものである。
【背景技術】
【０００２】
従来、光通信において、光源のパワーが光通信量の増加に伴い増大していることから、光コネクタの接続作業中に光信号を直視してしまうと、目に障害を招くことがある。更に、近年では光通信によるインターネット等が会社や家庭に導入され、専門の作業者以外の一般人が光コネクタプラグに接する機会が多くなって、光信号を直視してしまう危険性がますます多くなる。また、光ケーブルの先端部をゴミなどによる汚れから防ぐ必要もある。よって、目の保護手段及び防塵手段として光遮蔽装置（シャッター）が光コネクタプラグに設けられるようになっている。
【０００３】
例えば、特許文献１に記載の従来例１では、光ケーブルが接続された光コネクタの接続前面側の外周に可動部材が設けられ、その可動部材の前面側に開閉軸により接続される複数のキャップ片からなるキャップ部材が設けられている。この開閉軸は前記キャップ片が閉じる方向に付勢するされているものである。これにより、前記可動部材の前記光コネクタに対するスライドに連動して径方向に移動して開閉する。
【０００４】
また、特許文献２に記載の従来例２では、シャッターユニットがあり、これは可動筒体とシャッター扉と係合片とを有し、前記可動筒体の移動に応じて前記シャッター扉が開閉される。前記係合片がレセプタクルコネクタ側の係合爪に係合して、前記可動筒体はレセプタクルコネクタとともに移動される。そして、光ファイバプラグをレセプタクルコネクタから引き出すと自ずから前記可動筒体が移動して前記シャッター扉が閉じられる。
【特許文献１】特開平７−３３３４５４号公報
【特許文献２】特開２００５−９２０８２号公報
【発明の開示】
【発明が解決しようとする課題】
【０００５】
しかし、上記従来例１の発明では、プラグをレセプタクルコネクタに嵌合させた後に、そこから当該プラグを抜去させても、可動部材が元の位置に自動的に戻らないので、作業者が光を直視するおそれがある。また、上記従来例２の発明では、シャッターの自動復帰手段が備わっているものの、その復帰手段が特殊な係合部を用いているので、従来から存在する光コネクタプラグにそのまま使用することができない。更に可動筒体の復帰手段として付勢手段を用いる方法も示されているが、プラグの外側にその付勢手段が現れ、それによって操作性が悪く、異物を挟むなど故障の確率も高い。プラグ本体に遮蔽用のハウジングを被せる構造では、プラグの外形が大きくなって高密度実装に不利であり、プラグ嵌合部が完全に前記ハウジングで覆われてしまうので、相手側のレセプタクルコネクタとの挿入時にガイド性が無くなってしまい、嵌合の作業性が劣る。
このほか、図１６に示すように、光コネクタプラグ２３をレセプタクルコネクタ１９に嵌合させる際に、レセプタクルコネクタ側の弾性係止爪１９ｄを外側に拡開させるプラグ側の係止解除部材２０が、当該弾性係止爪１９ｄを係止させる段部２１を有するプラグフレーム２２の外側に設けられているので、前記弾性係止爪１９ｄの爪端部が前記係止解除部材２０を乗り越えて前記段部２１の後方に落ち込む時に、この段部２１の上面に乗って止まり、その際のクリック感で作業者がロックしたものと勘違いして、嵌合途中で前記光コネクタプラグ２３の差込み動作を止めてしまい、光コネクタプラグ２３が半差しの状態となる不都合が生じている。本発明に係る遮光部材付光コネクタプラグは、このような課題を解決するために提案されたものである。
【課題を解決するための手段】
【０００６】
本発明に係る遮光部材付光コネクタプラグの上記課題を解決して目的を達成するための要旨は、光コネクタプラグの接続側に設けられて光ファイバからの光を遮断する遮光部材が設けられた遮光部材付光コネクタプラグにおいて、前記遮光部材は、光ファイバの先端部を保護するフェルールを内包して支持する筒状のプラグフレームの外側において摺接自在にこれを囲繞するとともに光コネクタ接続時に嵌合されるレセプタクルコネクタの嵌合用開口部の内側に挿入されるシャッターハウジングと、前記シャッターハウジングの前部において当該ハウジングに一端部を支持され前記フェルールの前方位置で他端部が光ファイバを遮光するように弾性力で付勢されて閉じるシャッターと、前記シャッターハウジングの内側に配設され常にこれを前方に付勢するとともに前記プラグフレームの後部と前記シャッターハウジングとの間の間隙に配設される弾性部材と、から構成されていることである。
【０００７】
また、前記シャッターハウジングがプラグフレームに対して脱着可能にして遮光部材が着脱自在になるように、前記シャッターハウジングの後部に弾性係止片が設けられ、プラグフレームの外周部に前記弾性係止片に係合する係合突起が設けられ、前記シャッターハウジングの後部を囲堯するツマミの外周部には前記弾性係止片の係止を外側から解除させるための切欠き部又は窓部が設けられていることである。
前記シャッターは、支持軸を介して回動自在にして且つ常にフェルールの前方位置で閉じるように弾性材で付勢されて設けられてなる２枚のシャッター片が対抗配置で観音開きにしてシャッターハウジングに配置され、そのシャッター片の合わさった閉じ部は前記シャッターハウジングの前方開口部の開口端面から外に突出していることである。
プラグフレームの側壁面に、レセプタクルコネクタ側の弾性係止爪を嵌合時において拡開させるテーパ部とこのテーパ部に連なる平坦面の後端部から略垂直に落とし込む垂直部とを有する拡開用側壁が前後方向に沿って対向配置で一対設けられるとともに、この一対の拡開用側壁間の空間内に嵌合時には前記弾性係止爪に係合せず脱着時において後方に移動され前記弾性係止爪の係合作用を解除させるテーパ状の抜け治具部を収納し、この抜け治具部から後方に連なって前記弾性係止爪が落とし込まれる凹部を形成して成る所要幅で板状のスライダーが取着されていることを含むものである。
【発明の効果】
【０００８】
本発明の遮光部材付光コネクタプラグによれば、遮光部材におけるシャッターハウジングが、光ファイバの先端部を保持するフェルールを内包して支持する筒状のプラグフレームの外側において摺接自在にこれを囲繞するとともに光コネクタ接続時に嵌合されるレセプタクルコネクタの嵌合用開口部の内側に挿入される用に形成されているので、装着時のガイド性が発揮されると共に、プラグ側に遮光部材を追加しても、挿着する相手側のレセプタクルコネクタ側には、特に改良する必要が無く、従前通りに接続することができて汎用性が高いものである。更に、光遮蔽部材が、光プラグコネクタのツマミの外形寸法よりも外にはみ出すことが無く、高密度実装において障害とならない。
【０００９】
前記シャッターハウジングがプラグフレームに対して脱着可能にして遮光部材が着脱自在であるので、遮光部材として機能的に独立しており、この遮光部材を光プラグコネクタから取り外してもプラグの嵌合機能に支障が無い。よって、不要になった光プラグコネクタから他の必要な光プラグコネクタに転用することが可能となる。
【００１０】
前記シャッターは、２枚のシャッター片が対抗配置で観音開きにしてシャッターハウジングに配置され、そのシャッター片の合わさった閉じ部は前記シャッターハウジングの前方開口部の開口端面から外に突出しているので、プラグコネクタの前面側に物が当たっても先にシャッター片が当たることになって、シャッターハウジングが相対的に動かない。よって、光を直視してしまうことが無く、更にプラグの接続部端面に傷を付けることがない。
【００１１】
前記シャッターを設けたことに伴い、レセプタクルコネクタ側の弾性係止爪を嵌合時において拡開させるテーパ部とこのテーパ部に連なる平坦面の後端部から略垂直に落とし込む垂直部とを有する拡開用側壁が、前後方向に沿って対向配置で一対にしてプラグフレームの側壁に設けられ、この一対の拡開用側壁間の空間内に嵌合時には前記弾性係止爪に係合せず脱着時において後方に移動され前記弾性係止爪の係合作用を解除させるテーパ状の抜け治具部が収納され、この抜け治具部から後方に連なって前記弾性係止爪が落とし込まれる凹部を形成して成る所要幅で板状のスライダーが取着される。これにより、前記弾性係止爪に対して、嵌合時と脱着時とにおいて、拡開用側壁と抜け治具部とで別々に拡開作用するようにしたので、プラグの嵌合時には、前記弾性係止爪が前記拡開用側壁の前部を乗り越えて平坦面から垂直部に落ち込んで係止される。このとき、スライダーの前記抜け治具部は、拡開用側壁の間の空間内に収まっていて前記弾性係止爪とは一切係合作用しないので、弾性係止爪の落ち込みの邪魔にならない。よって、従来例のように途中で段部に当接して止まるような事態が、この発明の光コネクタプラグにおいては無いので、半差し状態に成ることがなく、ロック作用が確実に成される。
【発明を実施するための最良の形態】
【００１２】
本発明に係る遮光部材付光コネクタプラグは、図１乃至図３に示すように、光コネクタプラグの接続側に設けられて光ファイバ２からの光を遮断する遮光部材３が設けられた遮光部材付光コネクタプラグ１である。
【００１３】
前記光プラグコネクタ１の構成のうち、光ファイバ関係の概略構成は、光ファイバ２の先端部を保持する円筒棒状のフェルール３と、このフェルールを先端側から孔部に圧入して支持する筒状のフランジ４と、そのフランジ４の後部外周面に設けた周方向の溝に係合されるＥ型リング５に当接して後方のストップリング６のバネ座を反力にとって前記フェルール３を前方に付勢するスプリング７と、前記光ファイバ２を被覆する光ケーブル８と、該光ケーブル８を保護する合成樹脂製のフード９とで構成されている。
【００１４】
そして、光プラグコネクタ１の筐体の概略構成としては、前記フェルール３及びフランジ４の組立体を内装して支持する合成樹脂製のプラグフレーム（図４の斜視図参照）１０と、該プラグフレーム１０の後部に連結されるとともに前記フード９の前部が嵌着される合成樹脂製で筒状のストップリング６と、前記プラグフレーム１０の側壁に係合して取着される金属製で板状のスライダー（図５の斜視図参照）１１と、このスライダー１１の一対の係止突起１１ａ，１１ｂによって嵌合し支持される合成樹脂製のツマミ（詳細は図６参照）１２とがあり、その組み立てた光プラグコネクタ１の状態が図７に示す斜視図の状態である。
【００１５】
前記プラグフレーム１０は、図４に示すように、略四角形の筒体であり、その内部壁面にて前記フランジ４を摺動自在に支持し、前面側の開口部１０ａからフェルール３の先端部が突出する。
また、プラグフレーム１０の側壁面１０ｂにスライダー１１用の係合突起１０ｃが設けられ、前方に、スライダー１１の前部をガイドして収納する溝部１０ｄが、設けられている。
【００１６】
この溝部１０ｄは、レセプタクルコネクタ１９側の弾性係止爪１９ｄを嵌合時において拡開させるテーパ部１０ｉとこのテーパ部１０ｉに連なる平坦面の後端部から略垂直に落とし込む垂直部１０ｊとを有する拡開用側壁１０ｈが前後方向に沿って対向配置で一対設けられることで、形成される。この一対の拡開用側壁１０ｈ間の空間内に嵌合時には前記弾性係止爪に１９ｄ係合せず脱着時において後方に移動され前記弾性係止爪１９ｄの係合作用を解除させる、後述のテーパ状の抜け治具部１１ｄを収納している。
【００１７】
更に、この筒体の４隅に、略１／４円状の凹部１０ｅが長手方向に後部まで設けられており、ここに後述のスプリング１８が４個収納され、後部のバネ座１０ｆでそのスプリング１８の反力がとられるようになっている。
【００１８】
前記スライダー１１は、図５に示すように、所要幅の板であって、前記プラグフレーム１０の係合突起１０ｃに嵌合するとともに前後方向に所要範囲でスライドできる係合孔１１ｃが略中央部に設けられている。また、前方には嵌合する相手方のレセプタクルコネクタ１９（図１２参照）の弾性係止爪１９ｄの係合作用を、ツマミ１２によって後方に移動されることで解除させるためのテーパ部が形成された抜け治具部１１ｄが形成されている。この抜け治具部１１ｄの後方に連なって前記弾性係止爪１９ｄを落とし込む凹部１１ｅが形成されている。なお、一対の係止突起１１ａ，１１ｂは、図６に示す後述のツマミ１２の係止孔１２ａに係合するものである。このスライダー１１により、前記弾性係止爪１９ｄが、嵌合時と脱着時とにおいて、拡開用側壁と抜け治具部とで別々に拡開作用するようにしたので、レセプタクルコネクタ１９への嵌合作用において、光プラグコネクタ１が半差しになることがない。
【００１９】
前記ツマミ１２は、図６に示すように、前記プラグフレーム１０の後部と、ストップリング６の前部と、後述のシャッターハウジング（図８参照）１４の筒体の後部とを囲堯する、略四角形状の筒体である。その前方に、コの字型の凹部１２ｂが形成され、シャッターハウジング１４の開口部１４ａ（図８参照）を形成する凸部１４ｃが収納される。更に、前方側面に切欠き部１２ｃが形成され、これを利用して前記シャッターハウジング１４の、図８に示す弾性係止片１４ｅの係止作用を外部から解除することができる。
【００２０】
前記光プラグコネクタ１の図７に示す状態に対して、更に、遮光部材１３が追加される。この遮光部材１３は、合成樹脂製のシャッターハウジング（詳細は図８参照）１４と、このシャッターハウジング１４の上下壁面に設けられた開口部１４ａの長手方向の壁面に設けられた軸孔１４ｂ間に架設された支持軸１５にその基部を回転自在にして取り付けられるシャッター１６（シャッター片（図９参照）１６ａ，１６ｂからなる）と、このシャッター１６を常に閉じるように付勢するする弾性部材であるシャッタースプリング（図１０参照）１７と、前記シャッターハウジング１４を常に前方に付勢する弾性部材であるスプリング（部品図無し、図３参照）１８とから構成されている。
【００２１】
前記シャッターハウジング１４は、図１及び図８（Ａ）〜（Ｇ）に示すように、光ファイバ２の先端部を保持するフェルール３を内包して支持する筒状のプラグフレーム１０の外側において摺接自在にこれを囲繞するとともに、光コネクタ接続時に嵌合されるレセプタクルコネクタ（図１１等参照）１９の嵌合用開口部１９ａの内側に挿入される略四角形状の筒体である。
【００２２】
また、開口部１４ａが対抗配置に設けられ、レセプタクルコネクタ１９の嵌合ガイドスリット１９ｂに嵌合するガイド突起１４ｄが設けられている。一方、側壁面には、プラグフレーム１０の係合突起１０ｃの後端面１０ｇに係止して前方への抜け止めとなるように、弾性係止片１４ｅが形成され、その後端部に内側に突出した係合爪１４ｆが設けられている。この弾性係止片１４ｅの係止を解除することで、前記プラグフレーム１０から脱着させることが可能になり、当該シャッターハウジング１４が前記プラグフレーム１０から着脱自在になる。
【００２３】
前記シャッター１６は、図９に示すように、金属製（例えば、ステンレス製）の板であり、回転用の軸受け部１６ｃが後部両端部に設けられ、前端部（閉じ部でもある）１６ｄはＲ状に屈曲されて、閉じた際の合わせ部が一致し易いようにしている。このほか、前記シャッターハウジング１４に一端部を支持され前記フェルール３の前方位置で他端部が光ファイバ２を遮光するように屈曲するようにした、シャッター自身が屈曲するように弾性力を有した金属製の弾性片で形成して、閉じるようにしても良い。
【００２４】
前記シャッタースプリング１７は、図１０に示すように、一例としてトーションバネで形成されており、前記シャッターハウジング１４の開口部１４ａにおいて、支持軸１５に取り付けられ、前記シャッター１６の前部が記フェルール３の前方位置で閉じて略三角形状になるように付勢するものである。
【００２５】
前記スプリング１８は、コイルスプリングであり、前記シャッターハウジング１４の内周壁に配設され常にこれを前方に付勢する。その具体的な配設は、図４に示す前記プラグフレーム１０の４箇所の凹部１０ｅに当該スプリング１８が収納され、その後部のバネ座１０ｆにスプリング１８の後部が当接し、スプリング１８の前部は図８に示すシャッターハウジング１４の内側の４隅に設けられたバネ座１４ｇに当接する。
【００２６】
このように形成して成る光プラグコネクタ１により、レセプタクルコネクタ１９との嵌合状態を説明すると、図１１乃至図１２に示すように、開口部１９ａに光プラグコネクタ１のシャッターハウジング１４の先端部を挿入して挿着させると、前記レセプタクルコネクタ１９の嵌合ガイドスリット１９ｂにガイド突起１４ｄが嵌合して挿入ガイドされ、開口端面１９ｃに凸部１４ｃの前端面が当接して、スプリング１８の付勢力に抗してシャッターハウジング１４を後方に押し込む。
【００２７】
そして、前記レセプタクルコネクタ１９の弾性係止爪１９ｄが、プラグフレーム１０のテーパ部１０ｉから一対の拡開用側壁１０ｈに乗り上げて平坦面に移り、そこから連続的に垂直部１０ｊで落とし込まれて係止され、スライダー１１の抜け治具部１１ｄの後方に連なる凹部１１ｅに落ち込む。シャッターハウジング１４の後方への移動により、前記シャッター１６が、プラグフレーム１０の筒体に当接して、軸１５を中心にしてシャッタースプリング１７の付勢力に抗して回転し、プラグフレーム１０の外周壁面に当接して待避される。これにより、フェルール３の光接続が可能になる。また、シャッターハウジング１４の凸部１４ｃがツマミ１２の凹部１２ｂに嵌合して収納される。
【００２８】
このようにして、光プラグコネクタ１がレセプタクルコネクタ１９に嵌合する。そして、前記レセプタクルコネクタ１９は既存のものであり、この光プラグコネクタ１における遮光部材１３が有ることで、専用のレセプタクルコネクタ１９を必要とするものではない。
【００２９】
次に、前記光プラグコネクタ１をレセプタクルコネクタ１９から脱着させるのは、図１３乃至図１４に示すように、まず、光プラグコネクタ１のツマミ１２を後方に引く。すると、このツマミ１２と同時に、係止しているスライダー１１が後方に引かれる。それにより、当該スライダー１１の抜け治具部１１ｄが後方に移動し、図１４に示すように、そのテーパ部で前記レセプタクルコネクタ１９の弾性係止爪１９ｄを外側に押し出して拡開させる。これによって、当該弾性係止爪１９ｄの引っかけ部が拡開用側壁１０ｈ及び抜け治具部１１ｄの平坦部の高さと一致して、後方への移動が可能となり、光プラグコネクタ１を後方へ引くことで係合が解除される。
【００３０】
その後、図１５に示すように、レセプタクルコネクタ１９から前記光プラグコネクタ１を後方に引き抜くと、レセプタクルコネクタ１９の開口部１９ａから光プラグコネクタ１の先端部が脱着される。それにより、シャッターハウジング１４がスプリング１８によって前方に付勢されて前に移動し、弾性係止片１４ｅの係止爪１４ｆがプラグフレーム１０の係合突起１０ｃの後端面１０ｇに係止して止まる。また、このシャッターハウジング１４の前方への移動により、シャッター片１６ａ，１６ｂの前部がプラグフレーム１０の筒体から前方に突出すると、シャッタースプリング１７の付勢力によって軸１５を中心に回転し、図３に示すように、完全に閉じられる。
【００３１】
本発明の第２実施例として、前記シャッター１６において、２枚のシャッター片１６ａ，１６ｂが対抗配置で観音開きにしてシャッターハウジング１４に配置され、そのシャッター片１６ａ，１６ｂの合わさった閉じ部１６ｄの先端は、前記シャッターハウジング１４の前方開口部１４ｈの開口端面から外に突出しているものである（図示せず）。例えば、前記開口端面からシャッター１６の閉じ部１６ｄの先端が０．２ｍｍ程度外に突出しているように設定するものである。これにより、プラグ前面に物が当たっても、シャッターハウジング１４よりも先に前記シャッター１６の閉じ部１６ｄに当たり、更にプラグ嵌合部に当たるので、シャッターハウジング１４が相対的に動かない。従って、光を直視することがなく、更にプラグ接続部端面に傷を付けることもない。
【図面の簡単な説明】
【００３２】
【図１−Ａ】本発明に係る遮光部材付光コネクタプラグ１の、一部を破断して示す嵌合前の初期状態の斜視図である。
【図１−Ｂ】同本発明の遮光部材付光コネクタプラグ１を後方から見た場合の斜視図である。
【図２】同遮光部材付光コネクタプラグ１の平面図（Ａ），側面図（Ｂ）、正面図（Ｃ）である。
【図３】図２（Ａ）におけるＡ−Ａ線に沿った断面図（Ａ），図２（Ｂ）におけるＢ−Ｂ線に沿った断面図（Ｂ）である。
【図４】遮光部材付光コネクタプラグ１におけるプラグフレーム１０の斜視図である。
【図５】同遮光部材付光コネクタプラグ１におけるスライダー１１の斜視図である。
【図６】同遮光部材付光コネクタプラグ１におけるツマミ１２の、平面図（Ａ）、正面図（Ｂ）、背面図（Ｃ）、側面図（Ｄ）、Ｃ−Ｃ線に沿った断面図（Ｅ）である。
【図７】本発明に係る遮光部材付光コネクタプラグ１において、遮光部材１３を脱着させた状態の斜視図である。
【図８】遮光部材付光コネクタプラグ１におけるシャッターハウジング１４の、平面図（Ａ）、正面図（Ｂ）、背面図（Ｃ）、側面図（Ｄ）、Ｅ−Ｅ線に沿った断面図（Ｅ）、Ｄ−Ｄ線に沿った断面図（Ｆ）、斜視図（Ｇ）である。
【図９】同遮光部材付光コネクタプラグ１におけるシャッター１６の、平面図（Ａ）、正面図（Ｂ）、側面図（Ｃ）、背面図（Ｄ）である。
【図１０】同シャッタースプリング１７の平面図（Ａ）、側面図（Ｂ）である。
【図１１】遮光部材付光コネクタプラグ１のレセプタクルコネクタ１９との完全嵌合状態を示す平面図（Ａ）、Ｆ−Ｆ線に沿った縦断面図（Ｂ）である。
【図１２】同遮光部材付光コネクタプラグ１のレセプタクルコネクタ１９との完全嵌合状態を示す側面図（Ａ）、Ｇ−Ｇ線に沿った縦断面図（Ｂ）である。
【図１３】同遮光部材付光コネクタプラグ１のレセプタクルコネクタ１９から抜去させる状態を示す平面図（Ａ）、Ｈ−Ｈ線に沿った縦断面図（Ｂ）である。
【図１４】同遮光部材付光コネクタプラグ１のレセプタクルコネクタ１９から抜去させる状態を示す側面図（Ａ）、Ｊ−ＪＨ線に沿った縦断面図（Ｂ）である。
【図１５】同遮光部材付光コネクタプラグ１のレセプタクルコネクタ１９から完全に抜去させた状態を示す側面図（Ａ）、Ｋ−Ｋ線に沿った縦断面図（Ｂ）である。
【図１６】従来例に係る光コネクタプラグ２３をレセプタクルコネクタ１９に嵌合させる状態を示す各説明用断面図（Ａ）〜（Ｃ）である。
【符号の説明】
【００３３】
１          遮光部材付光コネクタプラグ、
２          光ファイバ、
３          フェルール、
４          フランジ、
５          Ｅ型リング、
６          ストップリング、
７          スプリング、
８          光ケーブル、
９          フード、
１０        プラグフレーム、              １０ａ        開口部、
１０ｂ      側壁面、                      １０ｃ        係合突起、
１０ｄ      溝部、                        １０ｅ        凹部、
１０ｆ      バネ座、                      １０ｇ        後端面、
１０ｈ      拡開用側壁、                  １０ｉ        テーパ部、
１０ｊ      垂直部、
１１        スライダー、                  １１ａ，１１ｂ        係止突起、
１１ｃ      係合孔、                      １１ｄ        抜け治具部、
１１ｅ      凹部、
１２        ツマミ、                      １２ａ        係止孔、
１２ｂ      凹部、                        １２ｃ        切欠き部、
１３        遮光部材、
１４        シャッターハウジング、        １４ａ        開口部、
１４ｂ      軸孔、                        １４ｃ        凸部、
１４ｄ      ガイド突起、                  １４ｅ        弾性係止片、
１４ｆ      係合爪、                      １４ｇ        バネ座、
１４ｈ      前方開口部、
１５        支持軸、
１６        シャッター、                  １６ａ，１６ｂ    シャッター片、
１６ｃ      軸受け部、                    １６ｄ        前端部（閉じ部）、
１７        シャッタースプリング、
１８        スプリング、
１９        レセプタクルコネクタ、        １９ａ        嵌合用開口部、
１９ｂ      嵌合ガイドスリット            １９ｃ        開口端面、  
１９ｄ      弾性係止爪、
２０        係止解除部材、
２１        段部、
２２        プラグフレーム、
２３        光コネクタプラグ。
【図１−Ａ】
2008176297.tif 000003
【図１−Ｂ】
2008176297.tif 000004
【図２】
2008176297.tif 000005
【図３】
2008176297.tif 000006
【図４】
2008176297.tif 000007
【図５】
2008176297.tif 000008
【図６】
2008176297.tif 000009
【図７】
2008176297.tif 000010
【図８】
2008176297.tif 000011
【図９】
2008176297.tif 000012
【図１０】
2008176297.tif 000013
【図１１】
2008176297.tif 000014
【図１２】
2008176297.tif 000015
【図１３】
2008176297.tif 000016
【図１４】
2008176297.tif 000017
【図１５】
2008176297.tif 000018
【図１６】
2008176297.tif 000019